【手続補正書】
【提出日】平成30年8月21日(2018.8.21)
【手続補正１】
【補正対象書類名】明細書
【補正対象項目名】０００７
【補正方法】変更
【補正の内容】
【０００７】
（１）第１の発明に係る医療用立体モデルは、骨または臓器の少なくとも一部を含む生体の対象部位の医療用立体モデルであって、対象部位の複数の断面の形状をそれぞれ表す形状構成部および連結用の補助部をそれぞれ有しかつ積層された複数のスライス板を備え、複数のスライス板の形状構成部は、積層された状態で対象部位の形状を表し、複数のスライス板のうち少なくとも一部のスライス板は、複数のスライス板が補助部において互いに連結された状態で、補助部の積層方向の軸を中心として、他のスライス板に対して相対的に回転可能に構成される。
【手続補正２】
【補正対象書類名】明細書
【補正対象項目名】０００９
【補正方法】変更
【補正の内容】
【０００９】
加えて、連結用の補助部が設けられるので、対象部位が複雑な形状を有する場合であっても、複数のスライス板を連結しかつ少なくとも一部のスライス板を他のスライス板に対して回転可能に構成することが容易になる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
（２）少なくとも一部のスライス板は、他のスライス板から取り外し可能に設けられてもよい。
【手続補正６】
【補正対象書類名】明細書
【補正対象項目名】００１３
【補正方法】変更
【補正の内容】
【００１３】
（３）少なくとも一部のスライス板が補助部の積層方向の軸において連結されるとともに補助部において積層方向の軸と異なる箇所で連結された場合に少なくとも一部のスライス板が他のスライス板に対して相対的に回転することが阻止されてもよい。
【手続補正７】
【補正対象書類名】明細書
【補正対象項目名】００１４
【補正方法】変更
【補正の内容】
【００１４】
（４）少なくとも一部のスライス板が補助部の積層方向の軸において連結されるとともに形状構成部において連結された場合に少なくとも一部のスライス板が他のスライス板に対して相対的に回転することが阻止されてもよい。
（５）少なくとも一部のスライス板の各々は、互いに離間した複数の補助部を有してもよい。
（６）少なくとも一部のスライス板が複数の補助部において連結された場合に少なくとも一部のスライス板が他のスライス板に対して相対的に回転することが阻止されてもよい。
【手続補正８】
【補正対象書類名】明細書
【補正対象項目名】００１５
【補正方法】変更
【補正の内容】
【００１５】
（７）複数のスライス板の外周端面の色は、複数のスライス板の内部の色とは異なってもよい。
【手続補正９】
【補正対象書類名】明細書
【補正対象項目名】００１６
【補正方法】変更
【補正の内容】
【００１６】
上記の構成によれば、模擬手術において医療用立体モデルの一部を切削した場合に、切削部分の状態を切削前の状態と比較して明確に確認することができる。したがって、模擬手術中および模擬手術後に、切削部分の状態の良否を容易かつ正確に判断することができる。
【手続補正１０】
【補正対象書類名】明細書
【補正対象項目名】００１７
【補正方法】変更
【補正の内容】
【００１７】
（８）補助部は、生体の対象部位のうち実際の手術において切削されない部分に対応する位置に設けられてもよい。
【手続補正１１】
【補正対象書類名】明細書
【補正対象項目名】００１８
【補正方法】変更
【補正の内容】
【００１８】
（９）対象部位は骨の少なくとも一部を含んでもよい。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】特許請求の範囲
【補正対象項目名】全文
【補正方法】変更
【補正の内容】
【特許請求の範囲】
【請求項１】
骨または臓器の少なくとも一部を含む生体の対象部位の医療用立体モデルであって、
前記対象部位の複数の断面の形状をそれぞれ表す形状構成部および連結用の補助部をそれぞれ有しかつ積層された複数のスライス板を備え、
前記複数のスライス板の前記形状構成部は、積層された状態で前記対象部位の形状を表し、
前記複数のスライス板のうち少なくとも一部のスライス板は、前記複数のスライス板が前記補助部において互いに連結された状態で、前記補助部の積層方向の軸を中心として、他のスライス板に対して相対的に回転可能に構成された、医療用立体モデル。
【請求項２】
前記少なくとも一部のスライス板は、前記他のスライス板から取り外し可能に設けられた、請求項１記載の医療用立体モデル。
【請求項３】
前記少なくとも一部のスライス板が前記補助部の前記積層方向の軸において連結されるとともに前記補助部において前記積層方向の軸と異なる箇所で連結された場合に前記少なくとも一部のスライス板が前記他のスライス板に対して相対的に回転することが阻止される、請求項１または２記載の医療用立体モデル。
【請求項４】
前記少なくとも一部のスライス板が前記補助部の前記積層方向の軸において連結されるとともに前記形状構成部において連結された場合に前記少なくとも一部のスライス板が前記他のスライス板に対して相対的に回転することが阻止される、請求項１〜３のいずれか一項に記載の医療用立体モデル。
【請求項５】
前記少なくとも一部のスライス板の各々は、互いに離間した複数の前記補助部を有する、請求項１〜４のいずれか一項に記載の医療用立体モデル。
【請求項６】
前記少なくとも一部のスライス板が前記複数の補助部において連結された場合に前記少なくとも一部のスライス板が前記他のスライス板に対して相対的に回転することが阻止される、請求項５記載の医療用立体モデル。
【請求項７】
前記複数のスライス板の外周端面の色は、前記複数のスライス板の内部の色とは異なる、請求項１〜６のいずれか一項に記載の医療用立体モデル。
【請求項８】
前記補助部は、生体の対象部位のうち実際の手術において切削されない部分に対応する位置に設けられる、請求項１〜７のいずれか一項に記載の医療用立体モデル。
【請求項９】
前記対象部位は骨の少なくとも一部を含む、請求項１〜８のいずれか一項に記載の医療用立体モデル。